(57)【特許請求の範囲】
【請求項１】
ケースと、
前記ケースに収容される複数の充電できる電池と、
前記ケースの外方に露出するように設けられるプラスの第１電源端子およびマイナスの第２電源端子と、
前記第１電源端子、前記複数の電池および前記第２電源端子を電気的に接続するリード部とを備え、
前記リード部は、前記第１電源端子と前記第２電源端子との電気的な接続を切断して前記第１電源端子および前記第２電源端子からの電力の入出力を遮断する遮断部を含み、
前記遮断部は、前記第１電源端子に電気的に接続される第１接続端子、前記第２電源端子に電気的に接続される第２接続端子、および前記第１接続端子と前記第２接続端子とに着脱可能な着脱部を有し、
前記ケースは、水密にされる第１収容室および水を排出するための水抜き部を有する第２収容室を含み、
前記リード部の少なくとも一部および前記複数の電池が前記第１収容室に収容され、前記第１接続端子および前記第２接続端子が前記第２収容室に収容され、
前記水抜き部は、前記着脱部を前記第１接続端子と前記第２接続端子とに接続した状態において前記第２収容室から水を排出可能に設けられ、
前記着脱部が前記第１接続端子と前記第２接続端子とに接続されることによって、前記第１接続端子と前記第２接続端子とが前記着脱部を介して電気的に接続され、その一方、前記着脱部が前記第１接続端子および前記第２接続端子から取り外されることによって、前記第１接続端子と前記第２接続端子との電気的な接続が切断される、電池パック。
【請求項２】
前記着脱部は、前記第１接続端子に対して着脱可能に設けられる第３接続端子および前記第２接続端子に対して着脱可能に設けられる第４接続端子を有し、
前記第２収容室は、前記第３接続端子および前記第４接続端子を差し込むための差込部を有する請求項１に記載の電池パック。
【請求項３】
前記着脱部は、前記第３接続端子と前記第４接続端子とを電気的に接続する本体部をさらに有し、
前記差込部は、前記第３接続端子および前記第４接続端子を通すが前記本体部を通さない、請求項２に記載の電池パック。
【請求項４】
前記差込部は、前記第３接続端子を差し込み可能な第１孔部と前記第４接続端子を差し込み可能な第２孔部とを含む、請求項３に記載の電池パック。
【請求項５】
前記第１接続端子と前記第３接続端子とは、前記第２収容室の内面から離れた位置で接続され、
前記第２接続端子と前記第４接続端子とは、前記第２収容室の内面から離れた位置で接続される、請求項２に記載の電池パック。
【請求項６】
前記第２収容室の前記内面は複数の内面部を有し、
前記差込部は、前記複数の内面部のうちのいずれか一つの内面部において開口し、
前記水抜き部は、前記複数の内面部のうちの少なくとも２つ以上の内面部によって形成される角部において開口する、請求項５記載の電池パック。
【請求項７】
１または複数のシール部材をさらに備え、
前記ケースは複数のケース部材を含み、
前記複数のケース部材は、前記第１収容室が形成されるように前記１または複数のシール部材を挟んで互いに組み合わされる、請求項１から６のいずれかに記載の電池パック。
【請求項８】
前記着脱部はヒューズを含む、請求項１から６のいずれかに記載の電池パック。
【請求項９】
請求項１から６のいずれかに記載の電池パックを備える、鞍乗型車両。
【発明の詳細な説明】
【技術分野】
【０００１】
この発明は、電池パックおよびそれを備える鞍乗型車両に関し、より特定的には、複数の充電できる電池を有する電池パックおよびそれを備える鞍乗型車両に関する。
【背景技術】
【０００２】
従来、複数の充電できる電池を有する電池パックが提案されている。このような電池パックには、一般に、プラスの電源端子およびマイナスの電源端子が設けられるとともに、これらの電源端子間の電気的な接続を切断することによって電源端子からの電力の入出力を遮断できる遮断部が設けられている。
【０００３】
たとえば、特許文献１に開示されている電源装置は、組電池、組電池を収容するケース、および組電池からの電力の入出力を遮断できるサービスプラグを有する。サービスプラグは、ケースに固定される固定部と、固定部に対して着脱可能に形成される接続解除部とによって構成される。この電源装置では、サービスプラグの接続解除部を固定部から取り外すことによって、組電池からの電力の入出力を遮断することができる。また、この電源装置では、サービスプラグの接続解除部はヒューズを有する。上述のように、接続解除部は固定部から取り外すことができるので、ヒューズの交換作業は、接続解除部を固定部から取り外した状態で行うことができる。
【０００４】
このような電池パックは、近年、その利用範囲がますます広がっており、水を被る状況下においての利用も望まれている。水を被る状況下において電池パックを利用する場合には、ケース内への水の浸入を抑制するための構造が必要になる。しかし、特許文献１の電源装置では、サービスプラグが設けられる部分にシール部材が設けられていない。言い換えると、特許文献１の電源装置には、十分な防水処理が施されていない。したがって、特許文献１においては、水を被る状況下での電源装置の利用が想定されていないと考えられる。これに対して、水を被る状況下においての利用を考慮した電池パックも提案されている。このような電池パックには、ケース内への水の浸入を抑制するめの構造が設けられている。
【０００５】
たとえば、特許文献２に開示されているバッテリパックは、複数の電池を含む電池ブロック、電池ブロックを収容する電池ケース、電池ケースの内部において電池ブロックの上に配置される絶縁プレート、絶縁プレート上に設けられかつ電池ブロックに接続される回路基板、および電池ケースの上方開口部を密封する蓋ケースを有する。蓋ケースには、上方開口でかつ電池ブロックの出力ラインに接続されるヒューズを収納する収納凹部と、Ｏリングを介して収納凹部の開口部を密閉するヒューズカバーとが設けられる。このバッテリパックでは、ヒューズを収納している収納凹部の開口部がヒューズカバーおよびＯリングによって密閉されているので、収納凹部内に水が浸入することを防止できる。なお、このバッテリパックでは、ヒューズが溶断されることによって電池ブロックの電流の流れが遮断され、電池ブロックが過電流から保護される。
【先行技術文献】
【特許文献】
【０００６】
【特許文献１】特開２０１１−８９５４号公報
【特許文献２】特開２０１１−４９０１４号公報
【発明の概要】
【発明が解決しようとする課題】
【０００７】
特許文献２のバッテリパックにおいても、たとえばヒューズを取り換える際等に収納凹部内に水が浸入することが考えられる。しかし、特許文献２のバッテリパックにおいては、収納凹部に水が浸入した場合には、ヒューズカバーを取り外して、上記開口部から水を排出しなければならない。特に、ヒューズカバーを取り付けた後に収納凹部に水が浸入していることが判明した場合には、水を排出するためだけにヒューズカバーを取り外さなければならず、作業効率が悪くなる。このように、特許文献２のバッテリパックは、防水性に優れているが、収納凹部に水が浸入した場合のことを考慮すると、水を被る状況下においては慎重に取り扱う必要がある。
【０００８】
それゆえに、この発明の主たる目的は、防水性に優れかつ水を被る状況下においても取り扱いが容易な電池パックおよびそれを備える鞍乗型車両を提供することである。
【課題を解決するための手段】
【０００９】
上述の目的を達成するために、請求項１に記載の電池パックは、ケースと、ケースに収容される複数の充電できる電池と、ケースの外方に露出するように設けられるプラスの第１電源端子およびマイナスの第２電源端子と、第１電源端子、複数の電池および第２電源端子を電気的に接続するリード部とを備え、リード部は、第１電源端子と第２電源端子との電気的な接続を切断して第１電源端子および第２電源端子からの電力の入出力を遮断する遮断部を含み、遮断部は、第１電源端子に電気的に接続される第１接続端子、第２電源端子に電気的に接続される第２接続端子、および第１接続端子と第２接続端子とに着脱可能な着脱部を有し、ケースは、水密にされる第１収容室および水を排出するための水抜き部を有する第２収容室を含み、リード部の少なくとも一部および複数の電池が第１収容室に収容され、第１接続端子および第２接続端子が第２収容室に収容され、水抜き部は、着脱部を第１接続端子と第２接続端子とに接続した状態において第２収容室から水を排出可能に設けられ、着脱部が第１接続端子と第２接続端子とに接続されることによって、第１接続端子と第２接続端子とが着脱部を介して電気的に接続され、その一方、着脱部が第１接続端子および第２接続端子から取り外されることによって、第１接続端子と第２接続端子との電気的な接続が切断されることを特徴とする。
【００１０】
請求項２に記載の電池パックは、請求項１に記載の電池パックにおいて、着脱部は、第１接続端子に対して着脱可能に設けられる第３接続端子および第２接続端子に対して着脱可能に設けられる第４接続端子を有し、第２収容室は、第３接続端子および第４接続端子を差し込むための差込部を有することを特徴とする。
【００１１】
請求項３に記載の電池パックは、請求項２に記載の電池パックにおいて、着脱部は、第３接続端子と第４接続端子とを電気的に接続する本体部をさらに有し、差込部は、第３接続端子および第４接続端子を通すが本体部を通さないことを特徴とする。
【００１２】
請求項４に記載の電池パックは、請求項３に記載の電池パックにおいて、差込部は、第３接続端子を差し込み可能な第１孔部と第４接続端子を差し込み可能な第２孔部とを含むことを特徴とする。
【００１３】
請求項５に記載の電池パックは、請求項２に記載の電池パックにおいて、第１接続端子と第３接続端子とは、第２収容室の内面から離れた位置で接続され、第２接続端子と第４接続端子とは、第２収容室の内面から離れた位置で接続されることを特徴とする。
【００１４】
請求項６に記載の電池パックは、請求項５に記載の電池パックにおいて、第２収容室の内面は複数の内面部を有し、差込部は、複数の内面部のうちのいずれか一つの内面部において開口し、水抜き部は、複数の内面部のうちの少なくとも２つ以上の内面部によって形成される角部において開口することを特徴とする。
【００１５】
請求項７に記載の電池パックは、請求項１から６のいずれかに記載の電池パックにおいて、１または複数のシール部材をさらに備え、ケースは複数のケース部材を含み、複数のケース部材は、第１収容室が形成されるように１または複数のシール部材を挟んで互いに組み合わされることを特徴とする。
【００１６】
請求項８に記載の電池パックは、請求項１から６のいずれかに記載の電池パックにおいて、着脱部はヒューズを含むことを特徴とする。
【００１７】
請求項９に記載の鞍乗型車両は、請求項１から６のいずれかに記載の電池パックを備えることを特徴とする。
【００１８】
請求項１に記載の電池パックでは、遮断部の着脱部を第１接続端子および第２接続端子から取り外すことによって、第１電源端子および第２電源端子からの電力の入出力を遮断することができる。ここで、第１接続端子および第２接続端子は、水抜き部を有する第２収容室に収容される。このため、たとえば、電池パックから着脱部を取り外している際に第２収容室に水が浸入したとしても、水抜き部から容易に水を排出することができる。さらに、複数の電池は水密にされる第１収容室に収容される。この場合、第２収容室に水が浸入しても、第１収容室に水が浸入することを防止できるので、複数の電池に水が付着することを防止できる。以上の結果、電池パックの優れた防水性を確保することができるとともに、水を被る状況下においても電池パックの取り扱いが容易になる。
【００１９】
請求項２に記載の電池パックでは、着脱部の第３接続端子および第４接続端子を、差し込み部を通って第２収容室の外部から第２収容室の内部に差し込むことができる。これにより、着脱部の取り外しが容易になる。
【００２０】
請求項３に記載の電池パックでは、差込部は、少なくとも第３接続端子および第４接続端子を通すことができればよい。この場合、差込部を小さく構成できるので、差込部から第２収容室に水が浸入することを抑制できる。
【００２１】
請求項４に記載の電池パックでは、第１孔部は第３接続端子を通すことができる大きさを有していればよく、第２孔部は第４接続端子を通すことができる大きさを有していればよい。この場合、第１孔部および第２孔部を、必要十分な大きさを確保しつつできるだけ小さく形成することによって、第１孔部および第２孔部から第２収容室に水が浸入することを十分に抑制できる。
【００２２】
請求項５に記載の電池パックでは、第１接続端子と第３接続端子との接続部および第２接続端子と第４接続端子との接続部が、第２収容室の内面から離れている。それにより、第２収容室内に水が浸入した場合でも、第１接続端子と第３接続端子との接続部および第２接続端子と第４接続端子との接続部に水が付着することを抑制できる。
【００２３】
請求項６に記載の電池パックでは、水抜き部が第２収容室の角部において開口するように設けられるので、差込部から第２収容室内に水が浸入した場合でも、水抜き部から水を効率よく排出することができる。
【００２４】
請求項７に記載の電池パックでは、１または複数のシール部材を挟んで複数のケース部材を組み合わせることによって、簡単な構成で第１収容室を水密にすることができる。
【００２５】
請求項８に記載の電池パックでは、着脱部がヒューズを含む。この場合、電池パックの過電流を防止するための他のヒューズをさらに設けなくてもよいので、電池パックの構成を簡単にできる。また、着脱部を第１接続端子および第２接続端子から取り外すことによって、ヒューズを容易に交換できる。これにより、電池パックのメンテナンスが容易になる。
【００２６】
電池パックを備えた鞍乗型車両のメンテナンスを容易にするためには、十分な防水性が確保されかつ水を被る状況下においても取り扱いが容易な電池パックを鞍乗型車両に搭載することが望ましい。したがって、優れた防水性を確保することができるとともに、水を被る状況下においても取り扱いが容易な上述の電池パックは、請求項９に記載されるように鞍乗型車両に好適に利用できる。
【発明の効果】
【００２７】
この発明によれば、防水性に優れかつ水を被る状況下においても取り扱いが容易な電池パックおよびそれを備える鞍乗型車両が得られる。
【図面の簡単な説明】
【００２８】
【図１】この発明の実施の形態に係るスクータを示す側面図である。
【図２】車体カバーを取り外した状態のスクータを示す側面図である。
【図３】この発明の実施の形態に係る電池パックの外観を示す斜視図である。
【図４】この発明の実施の形態に係る電池パックを示す分解斜視図である。
【図５】この発明の実施の形態に係る電池パックの内部構造を示す斜視図である。
【図６】ケース部材を示す斜視図である。
【図７】側壁部の突出部、周壁部の突出部および端子保護部の関係を示す断面図解図である。
【図８】保護壁部の周辺の構成を示す断面図解図である。
【図９】保護壁部の周辺の構成を示す斜視図である。
【図１０】保護壁部の周辺の構成を示す斜視図である。
【図１１】保護壁部と取付部との関係を示す断面図解図である。
【図１２】第１電池ユニットおよび第２電池ユニットを示す断面図解図である。
【図１３】この発明の実施の形態に係る電池パックの電気回路を示す図解図である。
【図１４】この発明の実施の形態に係る電池パックの構成を概念的に示す図解図である。
【図１５】この発明の他の実施の形態に係る電池パックを示す斜視図である。
【図１６】この発明の他の実施の形態に係る電池パックの第２収容室の周辺の構造を示す断面図解図である。
【図１７】この発明のさらに他の実施の形態に係る電池パックを示す斜視図である。
【図１８】この発明のさらに他の実施の形態に係る電池パックの第２収容室の周辺の構造を示す断面図解図である。
【図１９】この発明のその他の実施の形態に係る電池パックを示す斜視図である。
【図２０】この発明のその他の実施の形態に係る電池パックの第２収容室の周辺の構造を示す断面図解図である。
【図２１】この発明のさらにその他の実施の形態に係る電池パックの第２収容室の周辺の構造を示す断面図解図である。
【発明を実施するための形態】
【００２９】
以下、図面を参照してこの発明の実施の形態について説明する。ここでは、この発明の実施の形態に係る電池パック４０を、鞍乗型車両の一例であるスクータ１０に搭載した場合について説明する。なお、スクータ１０の説明において前後、左右、上下とは、スクータ１０のシート３８に運転者がハンドル３２に向かって着座した状態を基準とした前後、左右、上下を意味する。
【００３０】
図１は、スクータ１０を示す側面図である。スクータ１０は、車体フレーム１２および車体カバー１４を有する。なお、図面が煩雑になることを避けるために、図１においては車体フレーム１２を簡略化して示している。
【００３１】
図２は、車体カバー１４を取り外した状態のスクータ１０を示す側面図である。
【００３２】
図２を参照して、車体フレーム１２は、ヘッドパイプ１６、ヘッドパイプ１６から後方斜め下方に延びる前部フレーム１８、および前部フレーム１８の下端部から後方に延びる一対の後部フレーム２０（図２においては、左側の後部フレーム２０のみを図示）を含む。一対の後部フレーム２０は、スクータ１０の幅方向（左右方向）に並ぶように配置される。
【００３３】
各後部フレーム２０は、前部フレーム１８の下端部から後方へ延びる第１フレーム部２２、第１フレーム部２２の後端部から斜め上方へ延びる第２フレーム部２４、第２フレーム部２４の上端部から後方へ延びる第３フレーム部２６、および第２フレーム部２４と第３フレーム部２６とを連結する第４フレーム部２８を含む。第４フレーム部２８は、第２フレーム部２４の上下方向における中央部と第３フレーム部２６の前後方向における中央部とを連結するように、第２フレーム部２４から後方斜め上方に延びる。
【００３４】
ヘッドパイプ１６には、ステアリング軸３０が回動自在に挿通される。ステアリング軸３０の上端部には、ハンドル３２が取り付けられる。ステアリング軸３０の下端部には、フロントフォーク３４が取り付けられる。フロントフォーク３４の下端部には、前輪３６が回転自在に支持される。
【００３５】
第２フレーム部２４の上方にシート３８が設けられる。シート３８の下方において後部フレーム２０に電池パック４０が支持される。より具体的には、電池パック４０は、第２フレーム部２４の下端部に設けられる支持部材４２および第３フレーム部２６の前端部に設けられる支持部材４４を介して後部フレーム２０に支持される。この実施形態では、電池パック４０は、やや後方に傾くように配置される。なお、電池パック４０は、後述する隙間１１２（水抜き部）の少なくとも一部が差込部１６２（貫通孔１６２ａ，１６２ｂ）よりも下方に位置するように設けられることが好ましい。
【００３６】
第４フレーム部２８にスイングユニット４６が揺動可能に支持される。スイングユニット４６は、電動モータ４８および後輪５０を含む。スクータ１０では、電池パック４０から供給される電力によって電動モータ４８が駆動され、電動モータ４８の出力によって後輪５０が駆動される。
【００３７】
図３は、電池パック４０の外観を示す斜視図であり、図４は、電池パック４０を示す分解斜視図であり、図５は、電池パック４０の内部構造を示す斜視図である。なお、図５においては、図面が煩雑になることを避けるために、第１電池ユニット６２および第２電池ユニット６４を簡略化して図示している。図３以降の各図には、電池パックの各構成部材の位置関係を明確にするために、互いに直交するＸ方向、Ｙ方向およびＺ方向を示す矢印を付している。
【００３８】
図３を参照して、電池パック４０はケース５２を含む。ケース５２は、Ｚ方向において複数のケース部材に分割された構成を有する。この実施形態では、ケース５２は、Ｚ方向において４つのケース部材５４，５６，５８，６０に分割された構成を有する。ケース部材５４，５６，５８，６０は、たとえば、樹脂によって形成される。
【００３９】
図４および図５を参照して、電池パック４０はさらに、第１電池ユニット６２および第２電池ユニット６４を有する。第１電池ユニット６２および第２電池ユニット６４は、ケース５２に収容される。より具体的には、第１電池ユニット６２は、ケース部材５４とケース部材５６との間に配置され、第２電池ユニット６４は、ケース部材５８とケース部材６０との間に配置される。
【００４０】
ケース部材５４は、板状かつ略長方形の側壁部６６、側壁部６６の外周縁からケース部材５６側に向かって延びる枠状の周壁部６８、および側壁部６６の四隅にそれぞれ設けられるボス部７０を有する。側壁部６６は、Ｘ方向とＹ方向とに延びるように設けられる。
【００４１】
図５を参照して、周壁部６８は、ケース部材５６側の縁部６８ａに凹部６８ｂを有する。凹部６８ｂは、ケース部材５６側から見た場合に（Ｚ方向視において）環形状を有する。凹部６８ｂは、ケース部材５６に向かって開口するように設けられる。
【００４２】
図４および図５を参照して、ケース部材５６は、板状かつ略長方形の側壁部７２、側壁部７２の外周縁からケース部材５４側に向かって延びる枠状の周壁部７４、側壁部７２からケース部材５８側に向かって延びる中空状の連結部７６，７８、および側壁部７２の四隅に設けられるボス部８０ａ，８０ｂ，８０ｃ，８０ｄ（図４参照）を有する。連結部７６は、ケース部材５８の後述する連結部８６に対応する形状を有し、連結部７８は、ケース部材５８の後述する連結部８８に対応する形状を有する。
【００４３】
側壁部７２は、Ｘ方向とＹ方向とに延びるように設けられる。図４を参照して、側壁部７２は、貫通孔７２ａ，７２ｂ，７２ｃを有する。貫通孔７２ａは、側壁部７２の一方の長辺に沿ってＸ方向に延びるように設けられる。貫通孔７２ｂは長方形状を有し、側壁部７２の一方の短辺の近傍に設けられる。貫通孔７２ｃは長方形状を有し、側壁部７２の他方の短辺の近傍に設けられる。貫通孔７２ａ，７２ｂ，７２ｃは、ケース部材５８側から見た場合に（Ｚ方向視において）連結部７８の内側に位置する。
【００４４】
図５を参照して、周壁部７４は、ケース部材５４側の縁部７４ａに凸部７４ｂを有する。凸部７４ｂは、ケース部材５４側から見た場合に（Ｚ方向視において）環形状を有する。凸部７４ｂは、ケース部材５４に向かって突出するように設けられる。
【００４５】
連結部７６は、ケース部材５８側の縁部７６ａに凹部７６ｂを有する。凹部７６ｂは、ケース部材５８側から見た場合に（Ｚ方向視において）環形状を有する。凹部７６ｂは、ケース部材５８に向かって開口するように設けられる。連結部７８は、ケース部材５８側の縁部７８ａに凹部７８ｂを有する。凹部７８ｂは、ケース部材５８から見た場合に（Ｚ方向視において）環形状を有する。凹部７８ｂは、ケース部材５８に向かって開口するように設けられる。
【００４６】
図６は、ケース部材５８を示す斜視図である。
【００４７】
図４〜図６を参照して、ケース部材５８は、板状かつ略長方形状の側壁部８２、側壁部８２の外周縁からケース部材６０側に向かって延びる枠状の周壁部８４、側壁部８２からケース部材５６側に向かって延びる連結部８６，８８、側壁部８２からケース部材５６側に向かって延びる枠状の保護壁部９０（図４および図６参照）、略円筒状の端子保護部９２，９４（図４および図６参照）、筒状の取付部９６（図４および図６参照）、および側壁部８２の四隅に設けられるボス部９８ａ，９８ｂ，９８ｃ，９８ｄ（図４参照）を有する。端子保護部９２には、後述する電源端子１０２（図７参照）が設けられ、端子保護部９４には後述する電源端子１１８（図８参照）が設けられる。この実施形態では、電源端子１０２，１１８を介して第１電池ユニット６２および第２電池ユニット６４の後述する複数の電池１８２（図１１参照）に対して電力の入出力が行われる。
【００４８】
側壁部８２は、Ｘ方向とＹ方向とに延びるように設けられる。図４および図６を参照して、側壁部８２は、貫通孔８２ａ，８２ｂ，８２ｃおよび突出部８２ｄを有する。貫通孔８２ａは、側壁部８２の一方の長辺に沿ってＸ方向に延びるように設けられる。貫通孔８２ｂは長方形状を有し、側壁部８２の一方の短辺の近傍に設けられる。貫通孔８２ｃは長方形状を有し、側壁部８２の他方の短辺の近傍に設けられる。図６を参照して、貫通孔８２ａ，８２ｂ，８２ｃは、ケース部材５６側から見た場合に（Ｚ方向視において）連結部８８の内側に位置する。突出部８２ｄは、ケース部材５６に向かって突出するように設けられる。
【００４９】
図５を参照して、周壁部８４は、ケース部材６０側の縁部８４ａに凸部８４ｂを有する。凸部８４ｂは、ケース部材６０側から見た場合に（Ｚ方向視において）環形状を有する。凸部８４ｂは、ケース部材６０に向かって突出するように設けられる。
【００５０】
図４および図６を参照して、周壁部８４は、側壁部８２の突出部８２ｄに連なる突出部８４ｃを有する。端子保護部９２は、Ｙ方向に延びるように突出部８４ｃに設けられる。
【００５１】
連結部８６は、側壁部８２からケース部材５６側に向かって延びるように設けられる。側壁部８２の突出部８２ｄは、Ｘ方向において連結部８６の略中央部に位置する。図５を参照して、連結部８６は、ケース部材５６側の縁部８６ａに凸部８６ｂを有する。凸部８６ｂは、ケース部材５６側から見た場合に（Ｚ方向視において）環形状を有する。凸部８６ｂは、ケース部材５６に向かって突出するように設けられる。連結部８８は、ケース部材５６側の縁部８８ａに凸部８８ｂを有する。凸部８８ｂは、ケース部材５６側から見た場合に（Ｚ方向視において）環形状を有する。凸部８８ｂは、ケース部材５６に向かって突出するように設けられる。
【００５２】
図７は、側壁部８２の突出部８２ｄ、周壁部８４の突出部８４ｃおよび端子保護部９２の関係を示す断面図解図である。
【００５３】
図７を参照して、端子保護部９２は、周壁部８４（突出部８４ｃ）の外面からＹ方向に延びるように設けられる。端子保護部９２は、その中央部にＹ方向に延びる貫通孔９２ａを有する。貫通孔９２ａは、断面円形状を有する。
【００５４】
周壁部８４の突出部８４ｃは、Ｙ方向に延びかつ貫通孔９２ａに連通する貫通孔８４ｄを有する。貫通孔８４ｄは、断面円形状を有する。貫通孔８４ｄの直径は貫通孔９２ａの直径よりも小さくかつ貫通孔８４ｄと貫通孔９２ａとは同軸上に設けられる。貫通孔９２ａに環状のシール部材１００が嵌められた状態で、貫通孔９２ａおよび貫通孔８４ｄに電源端子１０２が嵌められる。より具体的には、電源端子１０２は、その一端部１０２ａが端子保護部９２内においてケース５２（図３参照）の外方に露出し、かつ他端部１０２ｂがケース５２の内方に臨むように設けられる。貫通孔８４ｄおよび貫通孔９２ａは、シール部材１００および電源端子１０２によって封止される。
【００５５】
シール部材１００としては、種々のガスケットを用いることができる。この実施形態では、シール部材１００として、たとえば、樹脂（ゴムまたはプラスチック等）または金属によって構成されたガスケットを用いることができる。また、シール部材１００として、たとえば、接着剤または両面テープを用いてもよい。後述のシール部材についても、シール部材１００と同様である。
【００５６】
この実施形態では、電源端子１０２は、たとえばプラスの電源端子として用いられる。なお、図面が煩雑になることを避けるために図７においては図示していないが、電源端子１０２の他端部１０２ｂは、後述する接続部材２４６（図１３参照）を介して第１電池ユニット６２および第２電池ユニット６４に電気的に接続される。
【００５７】
図８は、保護壁部９０の周辺の構成を示す断面図解図であり、図９および図１０は、保護壁部９０の周辺の構成を示す斜視図である。
【００５８】
図６を参照して、保護壁部９０は、第１壁部９０ａ、第２壁部９０ｂ、第３壁部９０ｃ、第４壁部９０ｄ、第５壁部９０ｅ、および第６壁部９０ｆを含む。第１壁部９０ａは、ボス部９８ａからボス部９８ｂ側に向かってＸ方向に延びる。第２壁部９０ｂは、ボス部９８ａと連結部８８とを連結するようにＹ方向に延びる。第３壁部９０ｃは、第２壁部９０ｂの一端部（ボス部９８ｂ側の端部）の近傍から連結部８８側に向かってＹ方向に延びる。第４壁部９０ｄは、第３壁部９０ｃの一端部（連結部８８側の端部）から第２壁部９０ｂ側に向かって斜めに延びる。第５壁部９０ｅは、第４壁部９０ｄの一端部（連結部８８側の端部）から連結部８８側に向かってＹ方向に延びる。第６壁部９０ｆは、第４壁部９０ｅの一端部（連結部８８側の端部）と第２壁部９０ｂとを連結するようにＸ方向に延びる。図６、図８および図９を参照して、この実施形態では、保護壁部９０の端部とボス部９８ａとによって開口１０４が形成される。
【００５９】
図８〜図１０を参照して、保護壁部９０の内側において側壁部８２から側壁部７２（図４参照）に向かってＺ方向に延びるようにボス部１０６が設けられる。なお、図面が煩雑になることを避けるために、図４においては保護壁部９０の内側に設けられる部材（ボス部１０６を含む）を図示していない。
【００６０】
図４、図６および図８を参照して、開口部１０４を塞ぐように、板状の蓋部材１０８が設けられる。図８を参照して、蓋部材１０８は、固定部材１１０によってボス部１０６に取り付けられる。固定部材１１０としては、たとえばネジを用いることができる。後述の固定部材についても固定部材１１０と同様である。
【００６１】
図６および図８を参照して、蓋部材１０８は、保護壁部９０と蓋部材１０８との間に隙間１１２が形成されるようにボス部１０６に取り付けられる。この実施形態では、側壁部８２、保護壁部９０、ボス部９８ａおよび蓋部材１０８によって第２収容室Ｒ２が形成される。
【００６２】
図６、図８および図９を参照して、この実施形態では、第２収容室Ｒ２の内面１１４は、複数の内面部１１４ａ，１１４ｂ，１１４ｃ，１１４ｄ，１１４ｅ，１１４ｆ，１１４ｇ，１１４ｈを有する。内面部１１４ａは第１壁部９０ａによって形成され、内面部１１４ｂは第２壁部９０ｂによって形成され、内面部１１４ｃは第３壁部９０ｃによって形成され、内面部１１４ｄは第４壁部９０ｄによって形成され、内面部１１４ｅは第５壁部９０ｅによって形成され、内面部１１４ｆは第６壁部９０ｆによって形成される。内面部１１４ｇは蓋部材１０８によって形成され、内面部１１４ｈは側壁部８２によって形成される。
【００６３】
図８を参照して、端子保護部９４は、保護壁部９０の第１壁部９０ａからＹ方向に延びるように設けられる。端子保護部９４は、その中央部にＹ方向に貫通する貫通孔９４ａを有する。貫通孔９４ａは、断面円形状を有する。
【００６４】
第１壁部９０ａは、Ｙ方向に延びかつ貫通孔９４ａに連通する貫通孔９０ｇを有する。貫通孔９０ｇは、断面円形状を有する。貫通孔９０ｇの直径は貫通孔９４ａの直径よりも小さくかつ貫通孔９０ｇと貫通孔９４ａとは同軸上に設けられる。貫通孔９４ａに環状のシール部材１１６が嵌められた状態で、貫通孔９４ａおよび貫通孔９０ｇに電源端子１１８が嵌められる。より具体的には、電源端子１１８は、その一端部１１８ａが端子保護部９４内において第２収容室Ｒ２（ケース５２）の外方に露出し、かつ他端部１１８ｂが第２収容室Ｒ２の内方に臨むように設けられる。この実施形態では、電源端子１１８は、たとえばマイナスの電源端子として用いられる。
【００６５】
第２収容室Ｒ２内において側壁部８２から蓋部材１０８側に向かって延びるように、複数（この実施形態では３つ）の凸部１２０，１２２，１２４が設けられる。この実施形態では、凸部１２０，１２２はボス部１０６と第１壁部９０ａとの間に設けられる。より具体的には、凸部１２０は第１壁部９０ａ寄りに設けられ、凸部１２２はボス部１０６と凸部１２０との間に設けられる。凸部１２４は、ボス部１０６と第６壁部９０ｆとの間に設けられる。凸部１２０には、ナット１２６が埋め込まれ、凸部１２２には、ナット１２８，１３０が埋め込まれ、凸部１２４には、ナット１３２が埋め込まれる。
【００６６】
電源端子１１８の他端部１１８ｂと板状のリード部材１３４の一端部とが、固定部材１３６によって凸部１２０およびナット１２６に固定される。これにより、電源端子１１８とリード部材１３４とが電気的に接続される。
【００６７】
リード部材１３４の他端部は、固定部材１３８によって、接続端子１４０とともに凸部１２２およびナット１２８に固定される。これにより、リード部材１３４と接続端子１４０とが電気的に接続される。すなわち、電源端子１１８と接続端子１４０とが電気的に接続される。
【００６８】
接続端子１４０はさらに、固定部材１４２によって凸部１２２およびナット１３２に固定される。接続端子１４０は、板状の一対の導電性部材１４０ａ，１４０ｂを含む。なお、図面が繁雑になることを避けるために、図９および図１０においては、接続端子１４０および後述の接続端子１４６を簡略化して図示している。
【００６９】
図８を参照して、固定部材１４４によって、接続端子１４６が凸部１２４およびナット１３０に固定される。接続端子１４０と接続端子１４６とはＹ方向に離れて設けられる。接続端子１４６は、板状の一対の導電性部材１４６ａ，１４６ｂを含む。この実施形態では、接続端子１４６が第１接続端子に相当し、接続端子１４０が第２接続端子に相当する。
【００７０】
図８を参照して、第２収容室Ｒ２は、内面部１１４ｈにおいて開口する貫通孔１４８を有する。貫通孔１４８は、側壁部８２に形成される。貫通孔１４８は、Ｚ方向視において凸部１２４と第６壁部９０ｆとの間に形成される。貫通孔１４８内に環状のシール部材１５０が嵌められた状態で、貫通孔１４８に筒状の連結部材１５２の一端部が嵌められる。連結部材１５２は、導電性材料からなる。
【００７１】
連結部材１５２の一端部は、固定部材１５４によって、中空円板状のシール部材１５６および板状のリード部材１５８とともに、側壁部８２に固定される。この実施形態では、固定部材１５４およびシール部材１５６のうちの少なくとも一方は、導電性材料からなる。貫通孔１４８は、シール部材１５０、連結部材１５２、固定部材１５４、およびシール部材１５６によって封止される。
【００７２】
連結部材１５２の他端部には、固定部材１６０によって接続端子１４６が固定される。これにより、接続端子１４６とリード部材１５８とが連結部材１５２を介して電気的に接続される。
【００７３】
図１１は、保護壁部９０と取付部９６との関係を示す断面図解図である。なお、図１１においては、図面が煩雑になることを避けるために、後述するサービスプラグ１６４を簡略化して図示している。
【００７４】
図９〜図１１を参照して、取付部９６は、保護壁部９０の第２壁部９０ｂの外面からＸ方向に延びるように設けられる。第２壁部９０ｂは、後述する接続端子１６８，１７０を差し込むための差込部１６２を有する。この実施形態では、差込部１６２は、第２壁部９０ｂをＸ方向に貫通する貫通孔１６２ａ，１６２ｂを含む。貫通孔１６２ａ，１６２ｂはそれぞれ、内面部１１４ｂにおいて開口する。
【００７５】
取付部９６には、サービスプラグ１６４が着脱可能に取り付けられる。
【００７６】
図９および図１１を参照して、サービスプラグ１６４は、接続端子１４０と接続端子１４６とに着脱可能な着脱部１６６を有する。着脱部１６６は、接続端子１４０に対して着脱可能に設けられる接続端子１６８、接続端子１４６に対して着脱可能に設けられる接続端子１７０、および接続端子１６８と接続端子１７０とを電気的に接続する本体部１７２（図１１参照）を含む。本体部１７２は、たとえばヒューズを含む。
【００７７】
図１０を参照して、接続端子１６８は、第２収容室Ｒ２（図１１参照）の外部から貫通孔１６２ａを通るように第２収容室Ｒ２内に差し込まれ、接続端子１４０に接続される。同様に、接続端子１７０は、第２収容室Ｒ２の外部から貫通孔１６２ｂを通るように第２収容室Ｒ２内に差し込まれ、接続端子１４６に接続される。図８および図１０を参照して、接続端子１６８は、内面１１４から離れた位置で接続端子１４０に接続され、接続端子１７０は、内面１１４から離れた位置で接続端子１４６に接続される。図８を参照して、この実施形態では、接続端子１６８は、導電性部材１４０ａ，１４０ｂによって挟まれることによって接続端子１４０に接続され、接続端子１７０は、導電性部材１４６ａ，１４６ｂによって挟まれることによって接続端子１４６に接続される。これにより、接続端子１４０と接続端子１４６とが着脱部１６６を介して電気的に接続される。
【００７８】
この実施形態では、接続端子１７０が第３接続端子に相当し、接続端子１６８が第４接続端子に相当し、貫通孔１６２ｂが第１孔部に相当し、貫通孔１６２ａが第２孔部に相当する。
【００７９】
なお、図８および図１０に示す状態においては、接続端子１４０に接続端子１６８が接続され、接続端子１４６に接続端子１７０が接続された状態が示されているが、接続端子１４０に接続端子１７０が接続され、接続端子１４６に接続端子１６８が接続されてもよい。この場合には、接続端子１６８が第３接続端子に相当し、接続端子１７０が第４接続端子に相当し、貫通孔１６２ａが第１孔部に相当し、貫通孔１６２ｂが第２孔部に相当する。
【００８０】
この実施形態では、差込部１６２（貫通孔１６２ａ，１６２ｂ）は、接続端子１６８，１７０を通すが本体部１７２を通さないように構成される。
【００８１】
この実施形態では、隙間１１２が水抜き部に相当する。したがって、この実施形態では、第２収容室Ｒ２は、少なくとも２つ以上の内面によって形成される角部（図１１に示す第２収容室Ｒ２では、たとえば、内面部１１４ｅと内面部１１４ｇとによって形成される角部１７４）において開口する水抜き部（隙間１１２）を有する。
【００８２】
図４および図５を参照して、ケース部材６０は、板状かつ略長方形状の側壁部１７６、側壁部１７６の外周縁からケース部材５８側に向かって延びる枠状の周壁部１７８、および側壁部１７６の四隅にそれぞれ設けられるボス部１８０（図４参照）を有する。側壁部１７６は、Ｘ方向とＹ方向とに延びるように設けられる。
【００８３】
図５を参照して、周壁部１７８は、ケース部材５８側の縁部１７８ａに凹部１７８ｂを有する。凹部１７８ｂは、ケース部材５８側から見た場合に（Ｚ方向視において）環形状を有する。凹部１７８ｂは、ケース部材５８に向かって開口するように設けられる。
【００８４】
図１２は、第１電池ユニット６２および第２電池ユニット６４を示す断面図解図である。図１２を参照して、第１電池ユニット６２は、互いに平行に配置される複数の充電できる電池１８２、複数の電池１８２を保持する電池保持部１８４、および複数の電池１８２を電気的に接続する複数の板状のリード部材１８６，１８８，１９０，１９２を有する。リード部材１８６，１８８，１９０，１９２はそれぞれ、Ｙ方向に延びるように設けられる。この実施形態では、７つのリード部材１８６、１つのリード部材１８８、６つのリード部材１９０、および１つのリード部材１９２が設けられる。
【００８５】
電池１８２は円柱形状を有し、Ｚ方向に対して平行に配置される。複数の電池１８２は、Ｘ方向に複数行およびＹ方向に複数列に配列される。この実施形態では、複数の電池１８２は、Ｘ方向に１４行かつＹ方向に６列になるように格子状に配列される。
【００８６】
第１電池ユニット６２の複数の電池１８２についての以下の説明では、ボス部８０ａ，８０ｃ（図４参照）に最も近い１行を１行目とし、ボス部８０ｂ，８０ｄ（図４参照）に最も近い１行を１４行目とする。この実施形態では、複数の電池１８２は、奇数行に配置される電池１８２と偶数行に配置される電池１８２とが逆方向を向くように電池保持部１８４に保持される。具体的には、たとえば、１、３、５、７、９、１１および１３行目の複数の電池１８２は、プラス極が側壁部６６側を向くように配置され、２、４、６、８、１０、１２および１４行目の複数の電池１８２は、マイナス極が側壁部６６側を向くように配置される。
【００８７】
１行目の複数の電池１８２の一端部（側壁部６６側の端部）および２行目の複数の電池１８２の一端部（側壁部６６側の端部）に１つのリード部材１８６が接続される。これにより、１行目の複数の電池１８２の一端部が電気的に並列に接続され、２行目の複数の電池１８２の一端部が電気的に並列に接続される。また、１行目の複数の電池１８２の一端部と２行目の複数の電池１８２の一端部とが電気的に直列に接続される。同様に、３行目から１４行目の複数の電池１８２の一端部に、６つのリード部材１８６が接続される。具体的には、２つの行の複数の電池１８２毎に１つのリード部材１８６が接続される。
【００８８】
１行目の複数の電池１８２の他端部（側壁部７２側の端部）にリード部材１８８が接続される。これにより、１行目の複数の電池１８２の他端部が電気的に並列に接続される。２行目の複数の電池１８２の他端部および３行目の複数の電池１８２の他端部に１つのリード部材１９０が接続される。これにより、２行目の複数の電池１８２の他端部が電気的に並列に接続され、３行目の複数の電池１８２の他端部が電気的に並列に接続される。また、２行目の複数の電池１８２の他端部と３行目の複数の電池１８２の他端部とが電気的に直列に接続される。同様に、４行目から１３行目の複数の電池１８２の他端部に、５つのリード部材１９０が接続される。具体的には、２つの行の複数の電池１８２毎に１つのリード部材１９０が接続される。リード部材１９２は、１４行目の複数の電池１８２の他端部に接続される。これにより、１４行目の複数の電池１８２の他端部が電気的に並列に接続される。
【００８９】
リード部材１８６，１８８，１９０，１９２は、たとえば複数の電池１８２に溶接される。
【００９０】
電池保持部１８４は、略直方体状の第１保持部１９４および略直方体状の第２保持部１９６を含む。図４および図１２を参照して、第１保持部１９４は、第２保持部１９６側の端部に凸状部１９８，２００を有する。凸状部１９８，２００はそれぞれ、Ｘ方向に突出しかつＹ方向に延びるように設けられる。図４を参照して、凸状部１９８の両端部および凸状部２００の両端部にはそれぞれ、ボス部２０２が設けられる。
【００９１】
図４および図１２を参照して、第２電池ユニット６４は、第１電池ユニット６２とほぼ同様の構成を有する。第２電池ユニット６４が第１電池ユニット６２と異なるのは、電池保持部１８４の代わりに電池保持部２０４を有する点、およびリード部材１８８（図１２参照）の代わりに板状のリード部材２０６（図１２参照）を有する点である。なお、第２電池ユニット６４については、第１電池ユニット６２と異なる構成についてのみ説明し、第１電池ユニット６２と同一の構成については説明を省略する。
【００９２】
電池保持部２０４が電池保持部１８４と異なるのは、第１保持部１９４の代わりに第１保持部２０８を有する点である。第１保持部２０８が第１保持部１９４と異なるのは、凸状部１９８の代わりに凸状部２１０を有する点である。凸状部２１０が凸状部１９８と異なるのは、凸状部２１０をＺ方向に貫通する貫通孔２１２を有する点である。なお、凸状部２１０の両端部には、凸状部１９８の両端部と同様にボス部２０２（図４参照）が設けられる。
【００９３】
図１２を参照して、リード部材２０６は、Ｙ方向視において略Ｚ字状に屈曲した形状を有し、１行目の複数の電池１８２の端部（側壁部１７６側の端部）から凸状部２１０まで延びるように設けられる。リード部材２０６は、リード部材１８８と同様に、１行目の複数の電池１８２の端部（側壁部１７６側の端部）に接続される。
【００９４】
図８および図１１を参照して、凸状部２１０の貫通孔２１２には、筒状の連結部材２１４の一端部が嵌められる。連結部材２１４は、導電性材料からなる。連結部材２１４の一端部は、固定部材２１６によってリード部材２０６とともに凸状部２１０に固定される。連結部材２１４の他端部には、固定部材２１８によってリード部材１５８が固定される。これにより、接続端子１４６とリード部材２０６とが連結部材１５２、リード部材１５８および連結部材２１４を介して電気的に接続される。すなわち、接続端子１４６と第２電池ユニット６４の複数の電池１８２とが電気的に接続される。
【００９５】
図４を参照して、第１電池ユニット６２と第２電池ユニット６４とを連結するように、連結ユニット２２０、リード部材２２２、およびリード部材２２４が設けられる。連結ユニット２２０は、基板２２６および基板２２６に固定される複数のリード部材２２８を含む。連結ユニット２２０は、ケース部材５６の貫通孔７２ａおよびケース部材５８の貫通孔８２ａに挿通され、リード部材２２２は、ケース部材５６の貫通孔７２ｂおよびケース部材５８の貫通孔８２ｂに挿通され、リード部材２２４は、ケース部材５６の貫通孔７２ｃおよびケース部材５８の貫通孔８２ｃに挿通される。第１電池ユニット６２の複数の電池１８２（図１２参照）と第２電池ユニット６４の複数の電池１８２（図１２参照）とは、リード部材２２２、リード部材２２４および複数のリード部材２２８を介して電気的に接続される。
【００９６】
図４および図５を参照して、第１電池ユニット６２は、ケース部材５４とケース部材５６とによって収容される。ケース部材５４の周壁部６８とケース部材５６の周壁部７４とは、環状のシール部材２３０を挟んで互いに組み合わされる。より具体的には、図５を参照して、周壁部６８の凹部６８ｂにシール部材２３０が収容されるように、周壁部７４の凸部７４ｂが凹部６８ｂに差し込まれる。これにより、ケース部材５４とケース部材５６とが水密に組み合わせられる。
【００９７】
図４および図５を参照して、第２電池ユニット６４は、ケース部材５８とケース部材６０とによって収容される。ケース部材５８の周壁部８４とケース部材６０の周壁部１７８とは、環状のシール部材２３２を挟んで互いに組み合わされる。より具体的には、図５を参照して、周壁部１７８の凹部１７８ｂにシール部材２３２が収容されるように、周壁部８４の凸部８４ｂが凹部１７８ｂに差し込まれる。これにより、ケース部材５８とケース部材６０とが水密に組み合わせられる。
【００９８】
図４を参照して、ケース部材５６とケース部材５８とに挟まれるように、ナット２３４ａ，２３４ｂ，２３４ｃ，２３４ｄが設けられる。
【００９９】
ナット２３４ａは、ケース部材５６のボス部８０ａとケース部材５８のボス部９８ａとによって収容され、ナット２３４ｂは、ケース部材５６のボス部８０ｂとケース部材５８のボス部９８ｂとによって収容される。ボス部８０ａとボス部９８ａとは、環状のシール部材２３６ａを挟んで互いに組み合わされ、ボス部８０ｂとボス部９８ｂは、環状のシール部材２３６ｂを挟んで互いに組み合わされる。これにより、ボス部８０ａとボス部９８ａとが水密に組み合わされ、ボス部８０ｂとボス部９８ｂとが水密に組み合わされる。
【０１００】
ナット２３４ｃ，２３４ｄは、ケース部材５６の連結部７８とケース部材５８の連結部８８とによって収容される。ナット２３４ｃは、ボス部８０ｃとボス部９８ｃとに挟まれるように設けられ、ナット２３４ｄは、ボス部８０ｄとボス部９８ｄとに挟まれるように設けられる。
【０１０１】
図４および図５を参照して、ケース部材５６の連結部７６とケース部材５８の連結部８６とは、環状のシール部材２３８を挟んで互いに組み合わされる。より具体的には、図５を参照して、連結部７６の凹部７６ｂにシール部材２３８が収容されるように、連結部８６の凸部８６ｂが凹部７６ｂに差し込まれる。これにより、連結部７６と連結部８６とが水密に組み合わせられる。
【０１０２】
図４および図５を参照して、ケース部材５６の連結部７８とケース部材５８の連結部８８とは、環状のシール部材２４０を挟んで互いに組み合わされる。より具体的には、図５を参照して、連結部７８の凹部７８ｂにシール部材２４０が収容されるように、連結部８８の凸部８８ｂが凹部７８ｂに差し込まれる。これにより、連結部７８と連結部８８とが水密に組み合わせられる。
【０１０３】
図４を参照して、上記のようにして組み合わされたケース５２は、複数のボルト２４２によって第１電池ユニット６２および第２電池ユニット６４に連結される。
【０１０４】
この実施形態では、４本のボルト２４２が、ケース部材５４の４つのボス部７０、第１電池ユニット６２の４つのボス部２０２、およびケース部材５６のボス部８０ａ，８０ｂ，８０ｃ，８０ｄに差し込まれる。同様に、４本のボルト２４２（図４においては３本のボルト２４２のみ図示）が、ケース部材６０の４つのボス部１８０、第２電池ユニット６４の４つのボス部２０２、およびケース部材５８のボス部９８ａ，９８ｂ，９８ｃ，９８ｄに差し込まれる。複数のボルト２４２の先端部は、ナット２３４ａ，２３４ｂ，２３４ｃ，２３４ｄに固定される。これにより、ケース５２、第１電池ユニット６２および第２電池ユニット６４が連結される。なお、各ボス部７０および各ボス部１８０には、環状のシール部材２４４が嵌め込まれる。これにより、各ボス部７０および各ボス部１８０がそれぞれ、ボルト２４２とシール部材２４４とによって封止される。
【０１０５】
図１３は、電池パック４０の電気回路を示す図解図である。
【０１０６】
図１３を参照して、上述したように、第１電池ユニット６２の複数の電池１８２は、複数のリード部材１８６、リード部材１８８、複数のリード部材１９０およびリード部材１９２を介して電気的に接続されている。第２電池ユニット６４の複数の電池１８２は、複数のリード部材１８６、リード部材２０６、複数のリード部材１９０およびリード部材１９２を介して電気的に接続されている。第１電池ユニット６２の複数の電池１８２と第２電池ユニット６４の複数の電池１８２とは、リード部材２２２、リード部材２２４および複数のリード部材２２８によって電気的に接続されている。電源端子１１８と第１電池ユニット６２および第２電池ユニット６４とは、リード部材１３４、接続端子１４０、サービスプラグ１６４の着脱部１６６、接続端子１４６、連結部材１５２、リード部材１５８、および連結部材２１４を介して電気的に接続される。電源端子１０２と第１電池ユニット６２および第２電池ユニット６４とは、接続部材２４６を介して電気的に接続される。したがって、この実施形態では、リード部材１３４，１５８，１８６，１８８，１９０，１９２、２０６，２２２，２２４，２２８、接続端子１４０，１４６、連結部材１５２，２１４、着脱部１６６および接続部材２４６を含んで、電源端子１０２、複数の電池１８２および電源端子１１８を電気的に接続するリード部Ｌが構成される。この実施形態では、接続部材２４６は、たとえば複数のリード部材を含む。
【０１０７】
電池パック４０では、接続端子１４０，１４６から着脱部１６６を取り外すことによって電源端子１０２と電源端子１１８との電気的な接続を切断することができ、電源端子１０２，１１８からの電力の入出力を遮断することができる。この実施形態では、接続端子１４０，１４６および着脱部１６６を含んで遮断部Ｂが構成される。
【０１０８】
図１４は、電池パック４０の構成を概念的に示す図解図である。
【０１０９】
図１４を参照して、この実施形態では、ケース部材５４、ケース部材５６（より特定的には、側壁部７２、周壁部７４、連結部７８、およびボス部８０ａ，８０ｂ）、ケース部材５８（より特定的には、側壁部８２、周壁部８４、連結部８８、およびボス部９８ａ，９８ｂ）、およびケース部材６０によって第１収容室Ｒ１が形成される。
【０１１０】
図４を参照して、上述したように、ケース部材５４の各ボス部７０およびケース部材６０の各ボス部１８０はそれぞれ、ボルト２４２とシール部材２４４とによって封止される。ケース部材５４とケース部材５６とは、シール部材２３０を挟んで水密に組み合わされる。ケース部材５８とケース部材６０とは、シール部材２３２を挟んで水密に組み合わされる。連結部７８と連結部８８とは、シール部材２４０を挟んで水密に組み合わされる。ボス部８０ａとボス部９８ａとはシール部材２３６ａを挟んで水密に組み合わされ、ボス部８０ｂとボス部９８ｂとはシール部材２３６ｂを挟んで水密に組み合わされる。図７を参照して、周壁部８４の貫通孔８４ｄは、シール部材１００および電源端子１０２によって封止される。図８を参照して、側壁部８２の貫通孔１４８は、シール部材１５０、連結部材１５２、固定部材１５４およびシール部材１５６によって封止される。これらの結果、第１収容室Ｒ１が水密にされる。したがって、この実施形態では、シール部材１００，１５０，１５６，２３０，２３２，２３６ａ，２３６ｂ、２４０，２４４、電源端子１０２、連結部材１５２、固定部材１５４、およびボルト２４２が、第１収容室Ｒ１を水密にするための封止部として機能する。
【０１１１】
なお、この実施形態において第１収容室Ｒ１が水密にされた状態とは、第１収容室Ｒ１の外部から第１収容室Ｒ１の内部への水の浸入が防止された状態のことをいう。
【０１１２】
図１４を参照して、電池パック４０では、リード部Ｌの一部、第１電池ユニット６２の複数の電池１８２（図１２参照）、および第２電池ユニット６４の複数の電池１８２（図１２参照）が第１収容室Ｒ１に収容され、遮断部Ｂの接続端子１４０，１４６が第２収容室Ｒ２に収容される。
【０１１３】
次に、電池パック４０の作用効果を説明する。
電池パック４０では、遮断部Ｂの着脱部１６６を接続端子１４０，１４６から取り外すことによって、電源端子１０２および電源端子１１８からの電力の入出力を遮断することができる。ここで、接続端子１４０，１４８は、水抜き部（この実施形態では隙間１１２）を有する第２収容室Ｒ２に収容される。このため、たとえば、電池パック４０から着脱部１６６（サービスプラグ１６４）を取り外している際に第２収容室Ｒ２に水が浸入したとしても、水抜き部（隙間１１２）から容易に水を排出することができる。さらに、第１電池ユニット６２および第２電池ユニット６４の複数の電池１８２は、水密にされる第１収容室Ｒ１に収容される。この場合、第２収容室Ｒ２に水が浸入しても、第１収容室Ｒ１に水が浸入することを防止できるので、複数の電池１８２に水が付着することを防止できる。以上の結果、電池パック４０の優れた防水性を確保することができるとともに、水を被る状況下においても電池パック４０の取り扱いが容易になる。
【０１１４】
電池パック４０では、着脱部１６６の接続端子１６８，１７０を、差込部１６２を通って第２収容室Ｒ２の外部から第２収容室Ｒ２の内部に差し込むことができる。これにより、着脱部１６６の取り外しが容易になる。
【０１１５】
電池パック４０では、差込部１６２は、接続端子１６８，１７０を通すが本体部１７２を通さないように構成される。この場合、差込部１６２は、少なくとも接続端子１６８，１７０を通すことができればよいので、差込部１６２を小さく構成できる。それにより、差込部１６２から第２収容室Ｒ２内に水が浸入することを抑制できる。
【０１１６】
電池パック４０では、差込部１６２は、接続端子１６８，１７０を差し込み可能な貫通孔１６２ａと接続端子１６８，１７０を差し込み可能な貫通孔１６２ｂとを有する。ここで、貫通孔１６２ａは、接続端子１６８，１７０を通すことができる大きさを有していればよく、貫通孔１６２ｂは接続端子１６８，１７０を通すことができる大きさを有していればよい。この場合、貫通孔１６２ａ，１６２ｂを、必要十分な大きさを確保しつつできるだけ小さく形成することによって、貫通孔１６２ａ，１６２ｂから第２収容室Ｒ２内に水が浸入することを十分に抑制できる。
【０１１７】
電池パック４０では、接続端子１４６と接続端子１７０との接続部および接続端子１４０と接続端子１６８との接続部が、第２収容室Ｒ２の内面１１４から離れている。それにより、第２収容室Ｒ２内に水が浸入した場合でも、接続端子１４６と接続端子１７０との接続部および接続端子１４０接続端子１６８との接続部に水が付着することを抑制できる。
【０１１８】
電池パック４０では、水抜き部（隙間１１２）が第２収容室Ｒ２の角部（たとえば、図１１に示す角部１７４）において開口するように設けられる。この場合、差込部１６２から第２収容室Ｒ２内に水が浸入した場合でも、水抜き部（隙間１１２）から水を効率よく排出することができる。
【０１１９】
電池パック４０では、複数のシール部材２３０，２３２，２３６ａ，２３６ｂ，２４０を挟んでケース部材５４，５６，５８，６０を組み合わせることによって、簡単な構成で第１収容室Ｒ１を水密にすることができる。
【０１２０】
電池パック４０では、着脱部１６６がヒューズを含むので、過電流を防止するための他のヒューズをさらに設けなくてもよい。それにより、電池パック４０の構成を簡単にできる。また、着脱部１６６（サービスプラグ１６４）を接続端子１４０，１４６から取り外すことによって、ヒューズを容易に交換できる。これにより、電池パック４０のメンテナンスが容易になる。
【０１２１】
電池パック４０では、接続端子１４０，１４６が第２収容室Ｒ２内においてケース部材５８に固定される。これにより、接続端子１４０，１４６の位置決め精度を向上させることができる。
【０１２２】
図１５は、この発明の他の実施の形態に係る電池パック４０ａを示す斜視図であり、図１６は、電池パック４０ａの第２収容室Ｒ２１の周辺の構造を示す断面図解図である。
【０１２３】
図１５および図１６を参照して、電池パック４０ａは、ケース５２ａ、第１電池ユニット６２（図４参照）および第２電池ユニット６４を有する。ケース５２ａは、ケース部材５４、ケース部材５６、ケース部材５８ａおよびケース部材６０を含む。第１電池ユニット６２は、ケース部材５４とケース部材５６とによって収容され、第２電池ユニット６４は、ケース部材５８ａとケース部材６０とによって収容される。
【０１２４】
図１６を参照して、ケース部材５８ａは、側壁部２４８および周壁部２５０を有する。側壁部２４８は、ケース部材６０側に向かって凹む凹部２５２を有する。蓋部材１０８ａは、周壁部２５０および凹部２５２との間に隙間１１２ａが形成されるように設けられる。この実施形態では、側壁部２４８の凹部２５２、周壁部２５０および蓋部材１０８ａによって第２収容室Ｒ２１が形成される。また、この実施形態では、隙間１１２ａが水抜き部に相当する。
【０１２５】
この実施形態では、ケース部材５４、ケース部材５６（より特定的には、側壁部７２、周壁部７４、連結部７８、およびボス部８０ａ，８０ｂ（図４参照））、ケース部材５８ａ（より特定的には、側壁部２４８、周壁部２５０、連結部８８、およびボス部９８ａ，９８ｂ（図４参照））、およびケース部材６０によって第１収容室Ｒ１１が形成される。第１収容室Ｒ１１は、電池パック４０の第１収容室Ｒ１と同様の構成によって水密にされる。
【０１２６】
連結部材１５２と連結部材２１４とは、リード部材２５４を介して電気的に接続される。これにより、接続端子１４６と複数の電池１８２とが電気的に接続される。
【０１２７】
なお、詳細な説明は省略するが、取付部９６および差込部１６２は、第２収容室Ｒ２１に対応する位置に設けられる。また、電池パック４０の第２収容室Ｒ２内に配置されている各構成要素（リード部材１３４および接続端子１４０等）は、第２収容室Ｒ２１の構成に応じて適切な位置に配置され、必要な場合には設計変更されて用いられる。また、電池パック４０の他の構成要素（電源端子１０２，１１８、連結ユニット２２０等）についても、ケース５２ａの構成に応じて適切な位置に配置され、必要な場合には設計変更されて用いられる。
【０１２８】
上述のような構成により、電池パック４０ａにおいても、電池パック４０の上述の作用効果と同様の作用効果が得られる。
【０１２９】
図１７は、この発明のさらに他の実施の形態に係る電池パック４０ｂを示す斜視図であり、図１８は、電池パック４０ｂの第２収容室Ｒ２２の周辺の構造を示す断面図解図である。
【０１３０】
図１７および図１８を参照して、電池パック４０ｂは、ケース５２ｂ、第１電池ユニット（図示せず）および第２電池ユニット６４ｂを有する。ケース５２ｂは、ケース部材５４ｂ、ケース部材５６ｂ、ケース部材５８ｂ、およびケース部材６０ｂを含む。第１電池ユニットは、ケース部材５４ｂとケース部材５６ｂとによって収容され、第２電池ユニット６４ｂは、ケース部材５８ｂとケース部材６０ｂとによって収容される。
【０１３１】
詳細な説明は省略するが、ケース部材５４ｂは、Ｘ方向の長さが長い点を除いてケース部材５４とほぼ同様の構成を有し、ケース部材５６ｂは、Ｘ方向の長さが長い点を除いてケース部材５６とほぼ同様の構成を有する。ケース部材５８ｂは、Ｘ方向の長さが長い点、保護壁部９０（図６参照）が設けられていない点、および取付部９６（図６参照）が設けられていない点を除いてケース部材５８とほぼ同様の構成を有する。
【０１３２】
図１８を参照して、ケース部材６０ｂは、側壁部２５６および周壁部２５８を有する。側壁部２５６は、ケース部材５８ｂ側に向かって凹む凹部２６０を有する。凹部２６０の開口部２６０ａを塞ぐように、蓋部材２６２が設けられる。蓋部材２６２は、板状部２６２ａおよび取付部２６２ｂを有する。板状部２６２ａは、差込部１６２（図９参照）と同様の構成を有する差込部２６４を有する。取付部２６２ｂは、取付部９６（図６参照）と同様の構成を有する。蓋部材２６２は、板状部２６２ａと凹部２６０との間に隙間１１２ｂが形成されるように設けられる。この実施形態では、凹部２６０および板状部２６２ａによって第２収容室Ｒ２２が形成される。また、この実施形態では、隙間１１２ｂが水抜き部に相当する。
【０１３３】
凹部２６０は、Ｘ方向に延びるように設けられる貫通孔２６０ｂを有する。貫通孔２６０ｂ内に環状のシール部材２６６が嵌められた状態で、貫通孔２６０ｂに筒状の連結部材２６８の一端部が嵌められる。連結部材２６８は、Ｘ方向に延びるように設けられる。連結部材２６８は、導電性材料からなる。
【０１３４】
連結部材２６８の一端部は、固定部材２７０によって、中空円板状のシール部材２７２および板状のリード部材２７４の一端部とともに凹部２６０に固定される。この実施形態では、固定部材２７０およびシール部材２７２のうちの少なくとも一方は、導電性材料からなる。貫通孔２６０ｂは、シール部材２６６、連結部材２６８、固定部材２７０、およびシール部材２７２によって封止される。
【０１３５】
連結部材２６８の他端部には、固定部材２７６によって接続端子１４６が固定される。リード部材２７４の他端部には、リード部材２０６が接続される。これにより、接続端子１４６と複数の電池１８２とが、連結部材２６８、リード部材２７４およびリード部材２０６を介して電気的に接続される。
【０１３６】
この実施形態では、上述の第１収容室Ｒ１，Ｒ１１と同様に、ケース部材５４ｂ、ケース部材５６ｂ、ケース部材５８ｂおよびケース部材６０ｂの所定の構成要素によって第１収容室Ｒ１２が形成される。第１収容室Ｒ１２は、第１収容室Ｒ１，Ｒ１１と同様に水密にされる。
【０１３７】
なお詳細な説明は省略するが、第１電池ユニット６２をケース部材５４ｂ，５６ｂの構成に応じて適宜設計変更することによって電池パック４０ｂの第１電池ユニットとして用いることができる。また、第２電池ユニット６４ｂは、第２電池ユニット６４をケース部材５８ｂ，６０ｂの構成に応じて適宜設計変更したものである。また、電池パック４０の他の構成要素（電源端子１０２，１１８、連結ユニット２２０等）についても、ケース５２ｂの構成に応じて適切な位置に配置され、必要な場合には設計変更されて用いられる。
【０１３８】
上述のような構成により、電池パック４０ｂにおいても、電池パック４０の上述の作用効果と同様の作用効果が得られる。
【０１３９】
図１９は、この発明のその他の実施の形態に係る電池パック４０ｃを示す斜視図であり、図２０は、電池パック４０ｃの第２収容室Ｒ２３の周辺の構造を示す断面図解図である。
【０１４０】
図１９および図２０を参照して、電池パック４０ｃは、ケース５２ｃ、第１電池ユニット（図示せず）および第２電池ユニット６４ｃを有する。第１電池ユニットしては、電池パック４０ｂの第１電池ユニットと同様のものを用いることができる。
【０１４１】
ケース５２ｃは、ケース部材５４ｂ、ケース部材５６ｂ、ケース部材５８ｂ、およびケース部材６０ｃを含む。第１電池ユニットは、ケース部材５４ｂとケース部材５６ｂとによって収容され、第２電池ユニット６４ｃは、ケース部材５８ｂとケース部材６０ｃとによって収容される。
【０１４２】
図２０を参照して、ケース部材６０ｃがケース部材６０ｂ（図１８参照）と異なるのは、側壁部２５６の代わりに側壁部２７８が設けられている点である。側壁部２７８が側壁部２５６と異なるのは、凹部２６０の代わりに凹部２８０を有する点である。
【０１４３】
電池パック４０ｃでは、凹部２８０の開口部２８０ａを塞ぐように、蓋部材２６２が設けられる。蓋部材２６２は、板状部２６２ａと凹部２８０との間に隙間１１２ｃが形成されるように設けられる。この実施形態では、凹部２８０および板状部２６２ａによって第２収容室Ｒ２３が形成される。また、この実施形態では、隙間１１２ｃが水抜き部に相当する。
【０１４４】
凹部２８０は、Ｚ方向に延びるように設けられる貫通孔２８０ｂを有する。貫通孔２８０ｂ内に環状のシール部材２８２が嵌められた状態で、貫通孔２８０ｂに筒状の連結部材２８４の一端部が嵌められる。連結部材２８４は、Ｚ方向に延びるように設けられる。連結部材２８４は、導電性材料からなる。
【０１４５】
連結部材２８４の一端部は、固定部材２８６によって、中空円板状のシール部材２８８および板状のリード部材２９０の一端部とともに凹部２８０に固定される。この実施形態では、固定部材２８６およびシール部材２８８のうちの少なくとも一方は、導電性材料からなる。貫通孔２８０ｂは、シール部材２８２、連結部材２８４、固定部材２８６およびシール部材２８８によって封止される。
【０１４６】
連結部材２８４の他端部には、固定部材２９２によって接続端子２９４が固定される。接続端子２９４は、サービスプラグ１６４の着脱部１６６が着脱可能に構成される。リード部材２９０の他端部には、リード部材２９６の一端部が接続される。リード部材２９６の他端部は、第２電池ユニット６４ｃの１行目の複数の電池１８２に接続される。これにより、接続端子２９４と複数の電池１８２とが、連結部材２８４、リード部材２９０およびリード部材２９６を介して電気的に接続される。
【０１４７】
この実施形態では、上述の第１収容室Ｒ１，Ｒ１１，Ｒ１２と同様に、ケース部材５４ｂ、ケース部材５６ｂ、ケース部材５８ｂおよびケース部材６０ｃの所定の構成要素によって第１収容室Ｒ１３が形成される。第１収容室Ｒ１３は、第１収容室Ｒ１，Ｒ１１，Ｒ１２と同様に水密にされる。
【０１４８】
なお、詳細な説明は省略するが、第２電池ユニット６４ｃは、第２電池ユニット６４をケース部材５８ｂ，６０ｃの構成に応じて適宜設計変更したものである。また、電池パック４０の他の構成要素についても、ケース５２ｃの構成に応じて適切な位置に配置され、必要な場合には設計変更されて用いられる。
【０１４９】
上述のような構成により、電池パック４０ｃにおいても、電池パック４０の上述の作用効果と同様の作用効果が得られる。
【０１５０】
上述の実施形態では、水抜き部として隙間１１２，１１２ａ，１１２ｂ，１１２ｃを設ける場合について説明したが、水抜き部の構成は上述の例に限定されない。
【０１５１】
図２１は、この発明のさらにその他の実施の形態に係る電池パック４０ｄの第２収容室Ｒ２４の周辺の構造を示す断面図解図である。
【０１５２】
図２１に示す電池パック４０ｄが上述の電池パック４０と異なるのは、保護壁部９０の代わりに保護壁部２９８が設けられている点、および蓋部材１０８の代わりに蓋部材３００が設けられている点である。
【０１５３】
保護壁部２９８が保護壁部９０と異なるのは、第５壁部９０ｅの代わりに壁部２９８ａを有する点である。壁部２９８ａが第５壁部９０ｅと異なるのは、その端部（Ｚ方向における端部）に切欠部２９８ｂを有する点である。蓋部材３００が蓋部材１０８と異なるのは、その端部（Ｘ方向における端部）に切欠部３００ａを有する点である。切欠部２９８ｂおよび切欠部３００ａはそれぞれ、第２収容室Ｒ２４の角部３０２（内面部２９８ｃと内面部３００ｂとによって形成される角部）において開口するように形成される。蓋部材３００は、隙間１１２ｄが形成されるように設けられる。
【０１５４】
電池パック４０ｄでは、隙間１１２ｄに加えて、さらに切欠部２９８ｂおよび切欠部３００ａを水抜き部として用いることができる。これにより、第２収容室Ｒ２４内に水が浸入しても、水抜き部（隙間１１２ｄ、切欠部２９８ｂおよび切欠部３００ａ）を介して効率よく水を排出することができる。なお、切欠部２９８ｂおよび切欠部３００ａのうちいずれか一方が設けられなくてもよい。また、切欠部２９８ｂおよび切欠部３００ａのうち少なくとも一方が設けられる場合には、隙間１１２ｄは形成されなくてもよい。切欠部２９８ｂの代わりに貫通孔が形成されてもよく、切欠部３００ａの代わりに貫通孔が形成されてもよい。電池パック４０ａ、電池パック４０ｂおよび電池パック４０ｃに示すようなタイプの電池パックにおいても、蓋部材に水抜き部としての切欠部または貫通孔を形成してもよい。
【０１５５】
上述の実施形態では、第１電池ユニットと第２電池ユニットとが電気的に並列に接続されているが、第１電池ユニットと第２電池ユニットとが電気的に直列に接続されてもよい。
【０１５６】
上述の実施形態では、リード部において、マイナスの電源端子と第２電池ユニットとの間に遮断部が設けられる場合について説明したが、遮断部の位置は上述の例に限定されない。たとえば、リード部において、プラスの電源端子と第２電池ユニットとの間に遮断部が設けられてもよい。たとえば、第１電池ユニットと第２電池ユニットとが電気的に直列に接続される場合には、リード部において、第１電池ユニットと第２電池ユニットとの間に遮断部を設けてもよい。
【０１５７】
上述の実施形態では、板状のリード部材を用いる場合について説明しているが、リード部材としてリード線を用いてもよい。
【０１５８】
上述の実施形態では、着脱部１６６の本体部１７２はヒューズを含むが、着脱部がヒューズを含まなくてもよい。たとえば、着脱部の本体部がリード部材（リード線またはリード板等）であってもよい。
【０１５９】
上述の実施形態では、プラスの電源端子およびマイナスの電源端子が１つずつ設けられる場合について説明したが、電源端子の数は上述の例に限定されない。たとえば、プラスの電源端子が２つ設けられてもよい（たとえば、充電用の電源端子と放電用の電源端子）。この場合、各電源端子は、たとえば、上述の電源端子１０２と同様に、シール部材とともにケース部材に設けられる。
【０１６０】
上述の実施形態では、複数のシール部材を用いて第１収容室を水密にしているが、第１収容室を水密にする方法は上述の例に限定されない。たとえば、構成部材同士を溶着することによって第１収容室を水密にしてもよい。具体的には、たとえば、ケース部材５４とケース部材５６とを溶着してもよく、ケース部材５６とケース部材５８とを溶着してもよく、ケース部材５８とケース部材６０とを溶着してもよい。
【０１６１】
この発明が適用される鞍乗型車両はスクータ１０に限定されない。具体的には、この発明は、モペット等の他のタイプの自動二輪車、不整地走行用車両（ＡＬＬ−ＴＥＲＲＡＩＮ  ＶＥＨＩＣＬＥ）、およびスノーモービル等の他の鞍乗型車両にも適用できる。
【符号の説明】
【０１６２】
１０      スクータ
４０ａ，４０ｂ，４０ｃ，４０ｄ      電池パック
５２，５２ａ，５２ｂ，５２ｃ      ケース
５４，５４ｂ，５６，５６ｂ，５８，５８ａ，５８ｂ，６０，６０ｂ，６０ｃ      ケース部材
１０２，１１８      電源端子
１１２，１１２ａ，１１２ｂ，１１２ｃ，１１２ｄ      隙間
１１４      内面
１１４ａ，１１４ｂ，１１４ｃ，１１４ｄ，１１４ｅ，１１４ｆ，１１４ｇ，１１４ｈ，２９８ｃ，３００ｂ      内面部
１４０，１４６，１６８，１７０，２９４      接続端子
１６２      差込部
１６２ａ，１６２ｂ      貫通孔
１６４      サービスプラグ
１６６  着脱部
１７２      本体部
１８２      電池
２３０，２３２，２３６ａ，２３６ｂ，２３８，２４０      シール部材
２９８ｂ，３００ａ      切欠部
Ｂ      遮断部
Ｌ      リード部
Ｒ１，Ｒ１１，Ｒ１２，Ｒ１３      第１収容室
Ｒ２，Ｒ２１，Ｒ２２，Ｒ２３，Ｒ２４      第２収容室
【図１】
0005757850.tif 000002
【図２】
0005757850.tif 000003
【図３】
0005757850.tif 000004
【図４】
0005757850.tif 000005
【図５】
0005757850.tif 000006
【図６】
0005757850.tif 000007
【図７】
0005757850.tif 000008
【図８】
0005757850.tif 000009
【図９】
0005757850.tif 000010
【図１０】
0005757850.tif 000011
【図１１】
0005757850.tif 000012
【図１２】
0005757850.tif 000013
【図１３】
0005757850.tif 000014
【図１４】
0005757850.tif 000015
【図１５】
0005757850.tif 000016
【図１６】
0005757850.tif 000017
【図１７】
0005757850.tif 000018
【図１８】
0005757850.tif 000019
【図１９】
0005757850.tif 000020
【図２０】
0005757850.tif 000021
【図２１】
0005757850.tif 000022